(57)【特許請求の範囲】
【請求項１】
新聞の各紙面に掲載すべき記事や画像からなる複数の要素を管理する組版編集サーバと、この組版編集サーバから各要素をそれぞれ読出して各紙面上に配置する複数の組版端末とからなる新聞紙面制作システムにおいて、
前記組版編集サーバは、前記各組版端末にて使用されて各紙面に対する配置処理動作中又は各紙面に配置済みである各要素の要素識別名を記憶する要素占有テーブルを有し、
前記各組版端末は、
要素を指定した要素の配置操作に応じて、該当要素の要素識別名で前記要素占有テーブルを検索する検索手段と、
この検索手段で該当要素識別名が検索されると、該当要素に対する使用不可を警告出力する警告手段と、
前記検索手段で該当要素識別名が検索されないと、該当要素識別名を前記要素占有テーブルに登録した後、該当要素の紙面上への配置処理を開始する要素配置開始手段と、
前記紙面上に配置済みの要素に対する配置取消操作終了に応じて前記要素占有テーブルから該当要素識別名を削除する要素識別名削除手段とを有した
ことを特徴とする新聞紙面制作システム。
【請求項２】
新聞の各紙面に掲載すべき記事や画像からなる複数の要素を管理する組版編集サーバと、この組版編集サーバから各要素をそれぞれ読出して各紙面上に配置する複数の組版端末とからなる新聞紙面制作システムにおいて、
前記組版編集サーバは、前記各組版端末にて使用されて各紙面に対する配置処理動作中又は各紙面に配置済みである各要素の要素識別名及び該当要素が配置取消された時の配置取消日時を記憶する要素占有テーブルを有し、
前記各組版端末は、
要素を指定した要素の配置操作に応じて、該当要素の要素識別名で前記要素占有テーブルを検索する検索手段と、
この検索手段で該当要素識別名が検索され、かつ配置取消日時が記憶されてるときで現在日時がこの配置取消日時から一定期間経過していない場合、及び配置取消日時が記憶されていない場合に、該当要素に対する使用不可を警告出力する警告手段と、
前記検索手段で該当要素識別名が検索され、かつ配置取消日時が記憶されているときで現在日時がこの配置取消日時から一定期間経過している場合、該当配置取消日時を削除した後、該当要素の紙面上への配置処理を開始する条件付き要素配置開始手段と、
前記検索手段で該当要素識別名が検索されないと、該当要素識別名を前記要素占有テーブルに登録した後、該当要素の紙面上への配置処理を開始する要素配置開始手段と、
前記紙面上に配置済みの要素に対する配置取消操作終了に応じて前記要素占有テーブルに該当要素の配置取消日時を登録する配置取消日時登録手段とを有したことを特徴とする新聞紙面制作システム。
【請求項３】
要素占有テーブル内に、前記配置処理動作中又は各紙面に配置済みである各要素の要素識別名及び該当要素を配置処理動作中又は配置終了した組版端末の端末名を記憶し、
前記警告手段は、前記検索手段で該当要素識別名が検索されると、該当要素に対する使用不可及び該当要素を配置処理動作中又は配置終了した組版端末の端末名を警告出力する
ことを特徴とする請求項１記載の新聞紙面制作システム。
【発明の詳細な説明】
【０００１】
【発明の属する技術分野】
本発明は、新聞の各紙面に各記事や各映像（写真、イラスト）を配置（割付ける）して印刷用の版下データを作成する新聞紙面制作システムに関する。
【０００２】
【従来の技術】
一般に、図１６（ｂ）に示すように、新聞１は複数の紙面２で構成されている。各紙面２は、第１面、政治面、経済面、スポーツ面、社会面等に分類される。各紙面２内には、図１６（ａ）に示すように、レイアウトに特徴があり、まとまった組物である小組（博組など）を複数含んでいる。そして、大組３及び小組（箱組）４内には、複数の画像（写真、イラスト）５や複数の記事６が掲載される。さらに、紙面２の下方に、広告７が掲載される。
【０００３】
各記事６や各画像（写真、イラスト）５は多数の新聞記者やカメラマンによって収集されて新聞社に送られる。新聞社においては、新聞記者やカメラマンから送られた膨大な量の記事や画像のうち、どの記事や画像をどの紙面２で採用するかを決定して、採用が決まった記事６や画像５を編集する。そして、編集された記事６や画像５を、記事内容や画像内容を考慮して、各紙面２上に配置（割付け）して印刷用の版下データを作成する必要がある。
【０００４】
新聞１においては、新聞記者やカメラマンから記事６や画像５を受信してから、短時間のうちに新聞を発行する必要があるので、上述した編集された膨大な数の記事６や画像５を各紙面２に配置（割り付ける）する作業を複数の係員（オペレータ）で行うようにしている。
【０００５】
このような複数の係員（オペレータ）で各記事６や各画像５を各紙面２に配置する新聞紙面制作シシテムにおいては、各係員（オペレータ）はそれぞれ組版端末を有し、例えば組版編集サーバに蓄えられいる多数の記事６や画像５から、自己が担当している紙面２の領域に配置すべき記事６や画像５を呼出して、紙面２の領域に配置する。
【０００６】
しかし、各組版端末では、各係員（オペレータ）に作業対象の記事６や画像６を選択させる場合に、該当紙面２内の全ての記事６や画像５の一覧を表示させているが、どの記事６や画像５が各組版端末で呼出され、配置されているかに関する情報表示や情報更新までは行われていない。
【０００７】
したがって、他の組版端末で配置処理中であったり、既に配置済みの記事６や画像５を呼出して、自己が担当している紙面２の領域に配置してしまい、同一紙面２に同一記事や同一画像が重複記載される懸念がある。
【０００８】
このような、不都合を回避するために、各組版端末の各係員（オペレータ）に、組版編集サーバから１個の記事６又は画像５を使用する毎に、呼出操作コマンドを実行させ、要素占有情報を付与すようにしている。また、各組版端末の各係員（オペレータ）は、一旦、呼出した記事６又は画像５を配置しなかった場合は、呼出取消コマンドを使って呼出を取消し、さらに、組版編集サーバ内の該当記事６又は該当画像５の要素占有情報を除去するようにしている。
【０００９】
このように、組版編集サーバ内に記憶されている各記事６又は画像５に対して、要素の呼出し操作で要素の占有を行い、要素の呼出取消操作で要素の占有を解除することにより、他の組版端末の係員（オペレータ）が、誤って配置処理中又は、配置済みの記事６又は画像５を使用すのを防止できる。
【００１０】
【発明が解決しようとする課題】
しかしながら、上述したように、呼出操作又は呼出取消操作を追加するようにした新聞紙面制作システムにおいてもまだ解消すべき次のような課題があった。
【００１１】
すなわち、前述したように、各組版端末の各係員（オペレータ）は、１分でも速く各記事６又は画像５を各紙面２に配置（割付ける）する必要があるので、配置取消操作を実行した要素に対して呼出取消操作の実行を忘れる懸念がある。
【００１２】
例えば、ある紙面２の小組の中に配置していた記事６を大組又は別の小組で配置するような場合、呼出取消操作を忘れると、該当記事６又は画像５を大組や別の小組をしている他の組版端末の各係員（オペレータ）が使用すことができない。このような場合、係員（オペレータ）は、この呼出取消操作を忘れた係員を探して、呼出取消操作を実行するように頼む必要があるので、非常に煩雑である。
【００１３】
本発明はこのような事情に鑑みてなされたものであり、組版編集サーバ内に記事や画像からなる各要素の占有状態を記憶する要素占有テーブルを設け、各組版端末で配置操作及び配置取消操作を実施するのみで、呼出操作や呼出取消操作を実施することなく、各組版端末での配置操作時に自動的に要素占有テーブルに要素占有情報を登録し、配置取消操作時にこの要素占有情報を解除することによって、従来の呼出操作や呼出取消操作を不要にすると共に、要素が他の組版端末で使用中の場合にはどの組版端末で使用されているのかを通知でき、各組版端末の係員の操作性を向上させることのできる新聞紙面制作システムを提供することを目的とする。
【００１４】
【課題を解決するための手段】
本発明は、新聞の各紙面に掲載すべき記事や画像からなる複数の要素を管理する組版編集サーバと、この組版編集サーバから各要素をそれぞれ読出して各紙面上に配置する複数の組版端末とからなる新聞紙面制作システムに適用される。
【００１５】
そして、上記課題を解消するために、本発明の新聞紙面制作システムにおいては、組版編集サーバ内に、各組版端末にて使用されて各紙面に対する配置処理動作中又は各紙面に配置済みである各要素の要素識別名を記憶する要素占有テーブルを設けている。
【００１６】
さらに、各組版端末に対して、要素を指定した要素の配置操作に応じて、該当要素の要素識別名で要素占有テーブルを検索する検索手段と、この検索手段で該当要素識別名が検索されると、該当要素に対する使用不可を警告出力する警告手段と、検索手段で該当要素識別名が検索されないと、該当要素識別名を要素占有テーブルに登録した後、該当要素の紙面上への配置処理を開始する要素配置開始手段と、紙面上に配置済みの要素に対する配置取消操作終了に応じて要素占有テーブルから該当要素識別名を削除する要素識別名削除手段とを付加している。
【００１７】
このように構成された新聞紙面制作システムにおいては、各組版端末にて要素が配置されたときに、該当要素の要素識別名が要素占有テーブルに登録され、各組版端末にて要素の配置取消が実施されると、該当要素の要素識別名が要素占有テーブルから削除される。そして、各組版端末の係員は、自己の組版端末において、要素識別名を指定した要素の配置操作を行うと、該当要素が他の組版端末で配置処理中又は配置済みの場合、使用不可の警告が出力される。
【００１８】
したがって、各組版端末の係員は、各要素に対して、配置取消操作を実施するだけで、他の組版端末で使用できるので「呼出取消操作」などを忘れることによる問題が回避できる。
【００１９】
さらに別の発明においては、組版編集サーバ内に、各組版端末にて各紙面に対する配置処理動作中又は各紙面に配置済みである各要素の要素識別名及び配置取消日時を記憶する要素占有テーブルを形成している。
【００２０】
そして、各組版端末に対して、要素配置操作に応じて、該当要素の要素識別名で要素占有テーブルを検索する検索手段と、この検索手段で該当要素識別名が検索され、かつ配置取消日時が記憶されてるときで現在日時がこの配置取消日時から一定期間経過していない場合、及び配置取消日時が記憶されていない場合に、該当要素に対する使用不可を警告出力する警告手段と、検索手段で該当要素識別名が検索され、かつ配置取消日時が記憶されているときで現在日時がこの配置取消日時から一定期間経過している場合、該当配置取消日時を削除した後、該当要素の紙面上への配置処理を開始する条件付き要素配置開始手段と、検索手段で該当要素識別名が検索されないとき、該当要素識別名を前記要素占有テーブルに登録した後、該当要素の紙面上への配置処理を開始する要素配置開始手段と、紙面上に配置済みの要素に対する配置取消操作終了に応じて要素占有テーブルに該当要素の配置取消日時を登録する配置取消日時登録手段とを付加している。
【００２１】
このように構成された新聞紙面制作システムにおいては、各組版端末で配置済みの要素に対する配置取消操作が実施されると、要素占有テーブルに設定されている要素識別名を削除するのではなく、該当要素の配置取消日時が要素占有テーブルに登録される。
【００２２】
そして、各組版端末で要素呼出し時に、要素占有テーブルに要素識別名が登録されていない場合と、要素識別名が登録されていた場合で配置取消日時が古いもの、すなわち、配置取消操作が実施されてから、一定期間経過した場合に、該当要素の配置が可能となる。
【００２３】
さらに別の発明においては、上述した発明の新聞紙面制作システムにおける、要素占有テーブル内に、配置処理動作中又は各紙面に配置済みである各要素の要素識別名を及び該当要素を配置処理動作中又は配置終了した組版端末の端末名を記憶している。さらに、警告手段は、検索手段で該当要素識別名が検索されると、該当要素に対する使用不可及び該当要素を配置処理動作中又は配置終了した組版端末の端末名を警告出力するようにしている。
【００２４】
このように構成された新聞紙面制作システムにおいては、要素占有テーブル内に要素識別名の他に該当要素を配置処理動作中又は配置終了した組版端末の端末名が記憶されている。したがって、各組版端末の係員は、各要素を担当している組版端末の端末名を簡単に知ることができるので非常に便利である。
【００２５】
【発明の実施の形態】
以下、本発明の各実施形態を図面を用いて説明する。
（第１実施形態）
図１は本発明の第１実施形態に係る新聞紙面制作システムの概略構成を示すブロック図である。新聞社の各記者や通信社から入力される各記事６は記事入力校正端末１０で、採用するか否か、採用する場合はどの紙面２に掲載するかが決定されて、採用された記事６は校正編集された後、記事サーバ１１に一旦格納された後、新聞紙面制作システム１２の組版編集サーバ１３へ送信され、記事ファイル１６ａへ書込まれる。
【００２６】
一方、新聞社の各カメラマンや通信社から入力された写真やイラストレータから入力されたイラスト等からなる各画像５は、画像入力加工端末１４で、採用するか否か、採用する場合はどの紙面２に掲載するかが決定されて、採用された画像５は加工された後、画像サーバ１５に一旦格納された後、新聞紙面制作システム１２の組版編集サーバ１３へ送信され、画像ファイル１６ｂへ書込まれる。
【００２７】
この組版編集サーバ１３には複数の組版端末１７が接続されている。各組版端末１７を操作する係員（オペレータ）は、図１６（ａ）（ｂ）に示す複数の紙面２からなる新聞１における自己が担当する紙面２の領域に掲載する記事６又は画像５からなる各要素を組版編集サーバ１３の記事ファイル１６ａ又は画像ファイル１６ｂから順次呼出して自己が担当する紙面２の領域に配置（割付ける）する。
【００２８】
各組版端末１７は、例えばワークステーションやパーソナルコンピユータで構成されており、各記事６又は画像５の配置（割付）が終了した紙面２の領域を組版編集サーバ１３に送信する。組版編集サーバ１３は、受信した配置（割付）が終了した紙面２の領域を紙面データファイル１８へ一旦格納する。
【００２９】
組版編集サーバ１３は、紙面データファイル１８内に新聞１を構成する全ての配置済みの紙面２が格納されると、この紙面データファイル１８内に記憶された各紙面２を出力サーバ１９へ送出する。出力サーバ１９は、各紙面２の記事６の各文字や画像５をドットデータに変換して、プリンタブロック２０を介して、大刷や版下として出力する。
【００３０】
このような新聞紙面制作システム１２において、組版編集サーバ１３内には、要素占有テーブル２１が形成されている。また、例えば、ワークステーションやパーソナルコンピユータで構成された各組版端末１７内には、図２に示すように、表示部２１、操作部２２、メモリ２３、要素配置部２４、要素配置取消部２５等が組込まれている。
【００３１】
組版編集サーバ１３内に設けられた要素占有テーブル２１は、各組版端末１７にて使用されて各紙面２に対する配置処理動作中又は各紙面２に配置済みである記事６や画像５等の各要素の要素識別名としての要素ＩＤを記憶する。図３に面版の単位で管理する場合の要素占有テーブル２１の具体例を示す。この要素占有テーブル２１は、新聞１を構成する各紙面２に対応した複数の単位占有テーブル２６で構成されている。各単位占有テーブル２６内には、掲載年月日、社会面や経済面等の面名、版名（両者を併せて紙面２に対応した面版と称する）の下に、複数のレコード領域２７が形成されている。各レコード領域２７には、要素ＩＤ等のレコードと、該当レコード領域２７に記憶された要素ＩＤ等のレコードが有効か無効を示すフラグが記憶されている。
【００３２】
したがって、新規に新聞１を作成開始する時点においては、この要素占有テーブル２１の各単位占有テーブル２６における各レコード領域２７には各要素の要素ＩＤは記憶されておらず、各フラグは無効状態に設定されている。
なお、もし面版の単位での管理ではなく、一括管理の場合は、レコード領域２７のみの構成でよい。
【００３３】
そして、版組編集サーバ１３に要素占有テーブル２１が形成されている状態において、各組版端末１７の要素配置部２４は、図４に示す流れ図に従って、各要素の各紙面２に対する配置処理を実施する。
【００３４】
係員（オペレータ）の操作に従って、組版編集サーバ１３の記事ファイル１６ａ又は画像ファイル１６ｂ内の配置しようとする１個の要素の要素ＩＤを抽出する。そして、該当要素の掲載年月日、画名、版名（両者を併せて面版と称する）と一致する面版（紙面）＃ｉの単位占有テーブル２６を要素占有テーブル２１から探す（Ｓ１−１）。
【００３５】
一致する面版（紙面）＃ｉの単位占有テーブル２６が存在しなければ（Ｓ１−２）、該当要素は、未だ他の組版端末１７にで使用されていないと判断して、要素占有テーブル２１内の空の単位占有テーブル２６を探し（Ｓ１−３）、この単位占有テーブル２６を面版（紙面）＃ｉの単位占有テーブル２６と設定して、この単位占有テーブル２６の空のレコード領域２７に、該当要素の要素ＩＤを書込み、フラグを有効に設置する（Ｓ１−４）。
【００３６】
以上の要素占有テーブル２１に対する要素ＩＤの設定処理が終了すると、該当要素を組版編集サーバ１３の記事ファイル１６ａ又は画像ファイル１６ｂから呼出して指定紙面２の自己の領域に配置する（Ｓ１−５）。
【００３７】
Ｓ１−２にて、一致する面版（紙面）＃ｉの単位占有テーブル２６が存在すれば、該当面版（紙面）＃ｉの単位占有テーブル２６のレコード領域２７に、該当要素ＩＤが未だ登録されていない場合（Ｓ１−６）、この単位占有テーブル２６の空のレコード領域２７を探し（Ｓ１―７）、この空のレコード領域２７に要素ＩＤを書込み、フラグを有効に設置する（Ｓ１−８）。そして、Ｓ１−５へ進み、該当要素に対する配置処理を実施する。
【００３８】
なお、該当要素ＩＤが既に登録されていた場合（Ｓ１−６）、該当要素は他の組版端末１７にて、他の組物（小組）で占有済みであり、使用不可を表示出力する（Ｓ１−９）。
【００３９】
さらに、各組版端末１７の要素配置取消部２５は、図５に示す流れ図に従って、紙面２に配置済みの要素に対する配置取消処理を実施する。
【００４０】
先ず、係員（オペレータ）の操作に従って、紙面２に配置済みの要素に対する所定の配置取消処理を実施する（Ｓ２−１）。次に、要素占有テーブル２１内の配置取消した要素の掲載年月日、面名、版面と一致する単位占有テーブル２６を探す（Ｓ２−２）。そして、該当単位占有テーブル２６内の該当要素が記憶されているレコード領域２７を探し（Ｓ２−３）、該当レコード領域２７に記憶されている該当要素の要素ＩＤを削除（クリア）する（Ｓ２−４）。さらに、該当レコード領域２７のフラグを無効に設定する（Ｓ２−５）
このように構成された第１実施形態の新聞紙面制作システムにおいては、各組版端末１７にて係員（オペレータ）が組版編集サーバ１３の記事ファイル１６ａ又は画像ファイル１６ｂから紙面２に配置した記事６や画像５の要素を配置取消したときに、該当要素の要素ＩＤが要素占有テーブル２１から削除されるので、従来行っていた呼出取消操作を実施しなくても、該当要素が他の組版端末１７での大組３や小組４で使用することができるので作業能率が向上する。また、誤って、同一記事が同一紙面２に重複記載されることも未然に防止される。
【００４１】
（第２実施形態）
図６は、本発明の第２実施形態に係わる新聞紙面制作システムの組版編集サーバ１３内に形成された要素占有テーブル２１ａの記憶内容を示す図である。この要素占有テーブル２１ａ以外の新聞紙面制作システムの全体構成及び組版端末１７の概略構成は図１、図２に示す第１実施形態システムと同じであるので説明を省略する。
【００４２】
この第２実施形態システムにおける要素占有テーブル２１ａは、図３に示す第１実施形態の要素占有テーブル２１と同様に、新聞１を構成する各紙面２に対応した複数の単位占有テーブル２６で構成されている。各単位占有テーブル２６内には、掲載年月日、社会面や経済面等の面名、版名（両者を併せて紙面２に対応する面版と称する）の下に、複数のレコード領域２７ａが形成されている。
【００４３】
そして、この第２実施形態システムにおいては、各レコード領域２７ａには、要素ＩＤ等のレコードと、該当レコード領域２７ａに記憶された要素ＩＤ等のレコードが有効か無効を示すフラグと、該当要素を配置取消した場合における配置取消日時が記憶されている。
【００４４】
したがって、新規に新聞１を作成開始する時点においては、この要素占有テーブル２１ａの単位占有テーブル２６における各レコード領域２７ａには各要素の要素ＩＤは記憶されておらず、各フラグは無効状態に設定されており、配置取消日時も設定されていない。
【００４５】
そして、組版編集サーバ１３に要素占有テーブル２１ａが形成されている状態において、各組版端末１７の要素配置部２４は、図７、図８に示す流れ図に従って、要素の各紙面２に対する配置処理を実施する。
【００４６】
なお、図７に示す流れ図において、Ｓ３−１乃至Ｓ３―５の処理は、図４に示す第１実施形態の流れ図におけるＳ１−１乃至Ｓ１―５の処理動作と同じであるので説明を省略する。
【００４７】
図７におけるＳ３−２にて、一致する面版（紙面）＃ｉの単位占有テーブル２６が存在すれば、該当面版（紙面）＃ｉの単位占有テーブル２６のレコード領域２７ａに、該当要素ＩＤが未だ登録されていない場合（Ｓ３−６）、この単位占有テーブル２６の空のレコード領域２７ａを探し（Ｓ３―７）、この空のレコード領域２７ａに要素ＩＤを書込み、フラグを有効に設置する（Ｓ３−８）。そして、Ｓ３−５へ進み、該当要素に対する配置処理を実施する。
【００４８】
なお、該当要素ＩＤが既に登録されていた場合（Ｓ３−６）、図８のＳ３−９において、該当要素ＩＤを記憶したレコード領域２７ａに配置取消日時が記憶されているか否かを調べ、配置取消日時が記憶されていない場合、該当要素は他の組版端末１７にて、他の組物（小組）で占有済みであり、使用不可を表示出力する（Ｓ３−１２）。
【００４９】
配置取消日時が記憶されている場合（Ｓ３−９）、現在日時がこの配置取消日時から一定時間（期間）が経過しているか否かを調べ（Ｓ３−１０）、一定時間が経過していない場合は、Ｓ３−１２へ進み、該当要素は他の組版端末１７にて、他の組物（小組）で占有済みであり、使用不可を表示出力する。
【００５０】
一定時間が経過している場合は（Ｓ３―１０）、該当配置取消日時を削除（クリア）し（Ｓ３―１１）、Ｓ３―５へ進み、該当要素に対する配置処理を実施する。
【００５１】
さらに、各組版端末１７の要素配置取消部２５は、図９に示す流れ図に従って、紙面２に配置済みの要素に対する配置取消処理を実施する。
【００５２】
先ず、係員（オペレータ）の操作に従って、紙面２に配置済みの要素に対する所定の配置取消処理を実施する（Ｓ４−１）。次に、要素占有テーブル２１ａ内の配置取消した要素の掲載年月日、面名、版名と一致する単位占有テーブル２６を探す（Ｓ４−２）。そして、該当単位占有テーブル２６内の該当要素が記憶されているレコード領域２７ａを探し（Ｓ４−３）、該当単位占有テーブル２６内の該当レコード領域２７ａに現在日時を配置取消日時として書込む（Ｓ４−５）。
【００５３】
このように構成された第２実施形態の新聞紙面制作システムにおいては、各組版端末１７の要素配置取消部２５で紙面２に置済みの記事６や画像５等の要素に対する配置取消操作が実施されると、要素占有テーブル２１ａのレコード領域２７ａ設定されている該当要素の要素ＩＤが削除されるのではなく、該当要素の配置取消日時が新規に設定される。
【００５４】
そして、各組版端末１７の要素配置部２４で、組版編集サーバ１３の記事ファイル１６ａ及び画像ファイル１６ｂから新規に要素を紙面２に配置しようとした場合に、要素占有テーブル２１ａに該当要素の要素ＩＤが登録されていない場合と、該当要素の要素ＩＤが登録されていた場合で配置取消日時が古い場合に、該当要素に対するの紙面２への配置が可能となる。
【００５５】
このように、各要素に対する配置取消操作を終了してから、一定期間（時間）経過するまでは、他の組版端末１７による該当要素に対する配置を禁止しているので、この一定期間の間に、係員（オペレータ）は、自己の組版端末１７で該当要素に対する再配置等の組み替えを行う場合には、一時的に要素の占有が解除された時に何らかの間違えで、他の組版端末１７で該当要素が占有されてしまう不都合を回避できる。
【００５６】
（第３実施形態）
図１０は、本発明の第３実施形態に係わる新聞紙面制作システムの組版編集サーバ１３に接続された各組版端末１７ａの概略構成を示すブロック図である。また、図１１は、組版編集サーバ１３内に形成された要素占有テーブル２１ｂの記憶内容を示す図である。この各組版端末１７ａ及び要素占有テーブル２１ａ以外の新聞紙面制作システムの全体構成は図１に示す第１実施形態システムと同じであるので説明を省略する。
【００５７】
この第３実施形態システムの各組版端末１７ａ内には、図１０に示すように、表示部２１、操作部２２、メモリ２３、組版開始部２８、要素配置部２４ａ、要素配置取消部２５ａ、組版終了部２９等が組込まれている。組版開始部２８はこの組版端末１７ａで紙面２に対して要素を配置する処理を開始する場合の準備処理を実行する。また、組版終了部２９は、この組版端末１７ａで要素を紙面２に配置する処理を終了する場合の処理を実行する。
【００５８】
また、第３実施形態システムにおける要素占有テーブル２１ｂは、図１１に示すように、第１実施形態の要素占有テーブル２１と同様に、新聞１を構成する各紙面２に対応した複数の単位占有テーブル２６で構成されている。各単位占有テーブル２６内には、掲載年月日、社会面や経済面等の面名、版名（両者を併せて紙面２に対応する面版と称する）の下に、複数のレコード領域２７ｂが形成されている。
【００５９】
そして、この第３実施形態システムにおいては、各レコード領域２７ｂには、要素ＩＤ等のレコードと、該当レコード領域２７ｂに記憶された要素ＩＤ等のレコードが有効か無効を示すフラグと、該当要素を配置処理中又は配置終了した組版端末１７ａの端末名が記憶されている。
【００６０】
したがって、新規に新聞１を作成開始する時点においては、この要素占有テーブル２１ｂの単位占有テーブル２６における各レコード領域２７ｂには各要素の要素ＩＤは記憶されておらず、各フラグは無効状態に設定されており、端末名も設定されていない。
【００６１】
そして、版組編集サーバ１３に要素占有テーブル２１ｂが形成されている状態において、各組版端末１７ａの組版開始部２８は、図１２に示す流れ図を実施する。
【００６２】
先ず、紙面２に対して各要素の配置作業を開始するに際して、この紙面２内に組込む目的で、小組等に既に配置済みの要素が存在する場合（Ｓ５−１）、すなわち、新規の紙面２に対する組版開始でない場合、図１１に示す要素占有テーブル１２ｂ内の自己の組版端末１７ａで現時時点で小組等に既に配置済みの要素の要素ＩＤのレコード領域２７ｂに自己の端末名を設定する（Ｓ５−２）。その後、自己の組版端末１７ａにて、各要素を新規に配置する紙面２をメモリ２３に展開する等の所定の組版開始処理を実施する（Ｓ５−３）。
【００６３】
また、小組等に既に配置済みの要素が存在しない場合（Ｓ５−１）、すなわち、新規の紙面２に対する組版開始の場合、Ｓ５−３へ進み、所定の組版開始処理を実施する。
【００６４】
また、組版端末１７ａの要素配置部２４ａは、図１３に示す流れ図に従って紙面２に対する要素の配置処理を実施する。
【００６５】
係員（オペレータ）の操作に従って、組版編集サーバ１３の記事ファイル１６ａ又は画像ファイル１６ｂ内の配置しようとする要素の要素ＩＤを抽出する。そして、該当要素の要素ＩＤが要素占有テーブル２１ｂのいずれかのレコード領域２７ｂに登録されているか否かを調べる。そして、該当要素の要素ＩＤが登録されていない場合（Ｓ６−１）、要素占有テーブル２１ａ内の空の単位占有テーブル２６を探し、この単位占有テーブル２６の空のレコード領域２７ｂに、該当要素の要素ＩＤを書込み、フラグを有効に設置する。さらに、自己の端末名を該当レコード領域２７ｂに設定する（Ｓ６−２）。
【００６６】
以上の要素占有テーブル２１ａに対する要素ＩＤの設定処理が終了すると、該当要素を組版編集サーバ１３の記事ファイル１６ａ又は画像ファイル１６ｂから呼出して指定紙面２の自己の領域に配置する（Ｓ６−３）。
【００６７】
Ｓ６―１にて、要素占有テーブル２１ｂのいずれかのレコード領域２７ｂに該当要素の要素ＩＤが登録されていた場合、Ｓ６−４にて、該当レコード領域２７ｂに記憶されいる該当要素を使用中の組版端末１７ａの端末名を読出す（Ｓ６−４）。そして、端末名を表示して、該当要素は表記した組版端末１７ａにて、他の組物（小組）で占有済みであり、使用不可を表示出力する（Ｓ６−５）。
【００６８】
さらに、各組版端末１７ａの要素配置取消部２５ａは、図１４に示す流れ図に従って、紙面２に配置済みの要素に対する配置取消処理を実施する。
【００６９】
先ず、係員（オペレータ）の操作に従って、紙面２に配置済みの要素に対する所定の配置取消処理を実施する（Ｓ７−１）。次に、要素占有テーブル２１ｂ内の要素配置取消した要素の掲載年月日、面名、版名と一致する単位占有テーブル２６を探す（Ｓ７−２）。そして、該当単位占有テーブル２６内の該当レコード領域２７ｂに記憶されている該当要素の要素ＩＤを削除（クリア）する（Ｓ７−４）。さらに、該当レコード領域２７ｂのフラグを無効に設定する（Ｓ７−５）。最後に、該当レコード領域２７ｂに記憶されている端末名を削除（クリア）する（Ｓ７−６）。
【００７０】
そして、紙面２に対する全ての要素の配置（割付け）処理が終了すると、各組版端末１７ａの組版終了部２９は、図１５に示す流れ図に従って、組版終了処理を実施する。
【００７１】
先ず、作成した紙面２を組版編集サーバ１３の紙面データファイル１８に送出する等の所定の組版終了処理を実施する（Ｓ８―１）。そして、要素占有テーブル２１ｂ内の面版（紙面２）＃１の単位占有テーブル１６の各レコード領域２７ｂを検証対象とする（８−２）。
【００７２】
該当単位占有テーブル１６の各レコード領域２７ｂに、今回、組版編集サーバ１３の紙面データファイル１８に送出した、紙面２に配置した要素の要素ＩＤが記憶されているか否かを調べ（Ｓ８−３）、記憶されている場合は、該当要素の要素ＩＤが記憶されたレコード領域２７ｂの自己の端末名を削除（クリア）する（Ｓ８−６）。
【００７３】
そして、検証対象のレコード領域２７ｂの単位占有テーブル２６を、次の単位占有テーブル２７へ移動させて（Ｓ８−６）、Ｓ８−３へ戻る。
【００７４】
そして、Ｓ８−５にて、全てのレコード領域２７ｂに対する検証処理が終了すると、この組版終了処理を終了する。
【００７５】
このように構成された第３実施形態の新聞紙面制作システムにおいては、図１１に示すように、要素占有テーブル２１ｂのレコード領域２７ｂ内に現時使用中の要素の要素ＩＤの他に該当要素を配置処理動作中又は配置終了した組版端末１７ａの端末名が記憶されている。したがって、各組版端末１７ａの係員（オペレータ）は、各要素を担当している他の組版端末１７ａの端末名を簡単に知ることができるので非常に便利である。
【００７６】
【発明の効果】
以上説明したように、本発明の新聞紙面制作システムにおいては、組版編集サーバ内に記事や画像からなる各要素の占有状態を記憶する要素占有テーブルを設け、各組版端末における各要素の紙面に対する配置、配置取消に連動して、要素占有テーブルの記憶内容を自動更新している。
【００７７】
したがって、各組版端末において各要素に対する呼出操作及び配置取消操作を実施するのみで、自動的に、該当要素の正確な現在状態を知ることができ、各組版端末の係員にとって効率的に各要素を各紙面に配置でき、かつシステム全体の信頼性を向上できる。
【００７８】
さらに、要素占有テーブル内に、要素ＩＤの他に、配置取消日時や端末名を記憶することによって、各組版端末の係員（オペレータ）にとって、より使い勝手を向上できる。
【図面の簡単な説明】
【図１】本発明の第１実施形態に係わる新聞紙面制作システムの概略構成を示すブロック図
【図２】同新聞紙面制作システムに組込まれた組版端末の概略構成を示すブロック図
【図３】同新聞紙面制作システムの組版編集サーバ内に形成された要素占有テーブルの記憶内容を示す図
【図４】同新聞紙面制作システムの組版端末における要素配置処理動作を示す流れ図
【図５】同新聞紙面制作システムの組版端末における要素配置取消処理動作を示す流れ図
【図６】本発明の第２実施形態に係わる新聞紙面制作システムの組版編集サーバ内に形成された要素占有テーブルの記憶内容を示す図
【図７】同新聞紙面制作システムの組版端末における要素配置処理動作を示す流れ図
【図８】同じく同新聞紙面制作システムの組版端末における要素配置処理動作を示す流れ図
【図９】同新聞紙面制作システムの組版端末における要素配置取消処理動作を示す流れ図
【図１０】本発明の第３実施形態に係わる新聞紙面制作システムに組込まれた組版端末の概略構成を示すブロック図
【図１１】同新聞紙面制作システムの組版編集サーバ内に形成された要素占有テーブルの記憶内容を示す図
【図１２】同新聞紙面制作システムの組版端末における組版開始処理動作を示す流れ図
【図１３】同新聞紙面制作システムの組版端末における要素配置処理動作を示す流れ図
【図１４】同新聞紙面制作システムの組版端末における要素配置取消処理動作を示す流れ図
【図１５】同新聞紙面制作システムの組版端末における組版終了処理動作を示す流れ図
【図１６】一般的な新聞の構成を示す図
【符号の説明】
２…紙面
５…画像
６…記事
１２…新聞紙面制作システム
１３…組版編集サーバ
１６ａ…記事ファイル
１６ｂ…画像ファイル
１７，１７ａ…組版端末
１８…紙面データファイル
２１，２１ａ，２１ｃ…要素占有テーブル
２４，２４ａ…要素配置部
２５，２５ａ…要素配置取消部
２６…単位占有テーブル
２７，２７ａ，２７ｂ…レコード領域
２８…組版開始部
２９…組版終了部
【図１】
0003617948.tif 000002
【図２】
0003617948.tif 000003
【図３】
0003617948.tif 000004
【図４】
0003617948.tif 000005
【図５】
0003617948.tif 000006
【図６】
0003617948.tif 000007
【図７】
0003617948.tif 000008
【図８】
0003617948.tif 000009
【図９】
0003617948.tif 000010
【図１０】
0003617948.tif 000011
【図１１】
0003617948.tif 000012
【図１２】
0003617948.tif 000013
【図１３】
0003617948.tif 000014
【図１４】
0003617948.tif 000015
【図１５】
0003617948.tif 000016
【図１６】
0003617948.tif 000017